(57)【要約】【課題】悪意の第三者の介入を極力回避できるコンテンツ利用システムを提供すること。【解決手段】このコンテンツ利用システム１０は、携帯電話機２０から送信される、コンテンツを特定するコンテンツＩＤと携帯電話機２０を特定するための携帯電話機ＩＤとを含む予約情報を受信する予約受付部１０２と、当該受信した予約情報に基づいてコンテンツを取得するための認証鍵を発行し、当該発行した認証鍵をコンテンツＩＤと関連付けて予約情報格納部２０２に格納する認証鍵発行部１０３と、当該発行した認証鍵を携帯電話機２０に送信する認証鍵送信部１０４と、ユーザがコンテンツを取得しようとする情報通信端末３０から送信される認証鍵を受信し、予約情報格納部２０２に格納されている情報と照合する認証部１０５と、を備える。【選択図】  図１
2004363787.tif 000002
【特許請求の範囲】
【請求項１】
ユーザが使用する移動通信端末から送信される、コンテンツを特定するコンテンツ特定情報と当該移動通信端末を特定するための端末特定情報とを含む予約情報を受信する予約受付手段と、
当該受信した予約情報に基づいて前記コンテンツを取得するための認証鍵を発行し、当該発行した認証鍵を前記コンテンツ特定情報と関連付けて予約情報格納手段に格納する認証鍵発行手段と、
当該発行した認証鍵を前記移動通信端末に送信する認証鍵送信手段と、
前記ユーザがコンテンツを取得しようとする情報通信端末から送信される前記認証鍵を受信し、前記予約情報格納手段に格納されている情報と照合する認証手段と、
を備えるコンテンツ利用システム。
【請求項２】
前記認証手段の照合の結果に応じて、前記コンテンツ特定情報で特定されるコンテンツを選択するコンテンツ選択手段と、
当該選択したコンテンツを前記情報通信端末に送信するコンテンツ送信手段と、
を備える請求項１に記載のコンテンツ利用システム。
【請求項３】
前記コンテンツ送信手段のコンテンツの送信に応じて前記ユーザに対する課金を指示する課金情報を出力する課金手段を備える請求項１又は２に記載のコンテンツ利用システム。
【請求項４】
前記移動通信端末にコンテンツの概要とコンテンツ特定情報とを関連付けて送信するコンテンツ情報提示手段を備える請求項１から３のいずれか１項に記載のコンテンツ利用システム。
【請求項５】
ユーザが使用する移動通信端末から送信される、コンテンツを特定するコンテンツ特定情報と当該移動通信端末を特定するための端末特定情報とを含む予約情報を予約受付手段が受信する予約受付ステップと、
認証鍵発行手段が、当該受信した予約情報に基づいて前記コンテンツを取得するための認証鍵を発行する発行ステップと、
認証鍵発行手段が、当該発行した認証鍵及び前記コンテンツ特定情報を予約情報格納手段に格納する格納ステップと、
認証鍵送信手段が、当該発行した認証鍵を前記移動通信端末に送信する認証鍵送信ステップと、
認証手段が、前記ユーザがコンテンツを取得しようとする情報通信端末から送信される前記認証鍵を受信し、前記予約情報格納手段に格納されている情報と照合する認証ステップと、
を備えるコンテンツ利用方法。
【発明の詳細な説明】
【０００１】
【発明の属する技術分野】
本発明は、コンテンツ利用システム及びコンテンツ利用方法に関する。
【０００２】
【従来の技術】
ネットワークを経由してコンテンツを取得する際の課金方法としては、ユーザのデータ端末からのアクセスに対してコンテンツを提供するコンテンツ提供サーバと、当該ユーザの携帯電話の電話番号を管理している携帯電話会社との間を課金サーバが仲介して、当該ユーザのデータ端末にコンテンツ提供サーバが提供したコンテンツに対する課金を行うときに携帯電話を用いる課金方法がある。（例えば、特許文献１参照。）。
【０００３】
【特許文献１】
特開２００２−１８９９５２号公報
【０００４】
【発明が解決しようとする課題】
従来の技術では、携帯電話番号を悪意の第三者が取得した場合に、その取得した携帯電話番号を用いてコンテンツを利用することが可能となる。このように第三者にコンテンツを利用されると、料金の請求は携帯電話機のユーザの元に行くことになる。
【０００５】
そこで本発明は、悪意の第三者の介入を極力回避できるコンテンツ利用システム及びコンテンツ利用方法を提供することを課題とする。
【０００６】
【課題を解決するための手段】
本発明のコンテンツ利用システムは、ユーザが使用する移動通信端末から送信される、コンテンツを特定するコンテンツ特定情報と当該移動通信端末を特定するための端末特定情報とを含む予約情報を受信する予約受付手段と、当該受信した予約情報に基づいてコンテンツを取得するための認証鍵を発行し、当該発行した認証鍵をコンテンツ特定情報と関連付けて予約情報格納手段に格納する認証鍵発行手段と、当該発行した認証鍵を移動通信端末に送信する認証鍵送信手段と、ユーザがコンテンツを取得しようとする情報通信端末から送信される認証鍵を受信し、予約情報格納手段に格納されている情報と照合する認証手段と、を備える。
【０００７】
本発明のコンテンツ利用システムによれば、ユーザが使用する移動通信端末から送信される予約情報に基づいて認証鍵を発行し、その発行した認証鍵を移動通信端末に送信するので、移動通信端末の番号が流用されて必要な情報が盗用される可能性を低減できる。その発行した認証鍵を情報通信端末から受け取って照合を行うので、例えば、認証鍵を都度更新すれば以前使用した認証鍵のみが盗用されても認証される可能性が低減され、より安全性を高めることができる。
【０００８】
また、本発明のコンテンツ利用システムでは、認証手段の照合の結果に応じて、コンテンツ特定情報で特定されるコンテンツを選択するコンテンツ選択手段と、当該選択したコンテンツを情報通信端末に送信するコンテンツ送信手段と、を備えることも好ましい。認証手段の照合の結果、認証されれば予約してあるコンテンツを特定して選択することができるので、容易に予約したコンテンツを情報通信端末に送信できる。
【０００９】
また、本発明のコンテンツ利用システムでは、コンテンツ送信手段のコンテンツの送信に応じてユーザに対する課金を指示する課金情報を出力する課金手段を備えることも好ましい。コンテンツを情報通信端末に送信した後に課金情報を出力するので、利用してないコンテンツに課金されるような事態を回避できる。
【００１０】
また、本発明のコンテンツ利用システムでは、移動通信端末にコンテンツの概要とコンテンツ特定情報とを関連付けて送信するコンテンツ情報提示手段を備えることも好ましい。移動通信端末にコンテンツの概要を送信すれば、ユーザにコンテンツの概要を通知することができる。また、コンテンツの概要とコンテンツ特定情報とが関連付けられているので、コンテンツの概要を選択すればそれに関連するコンテンツ特定情報を選択することが容易になる。
【００１１】
本発明のコンテンツ利用方法は、ユーザが使用する移動通信端末から送信される、コンテンツを特定するコンテンツ特定情報と当該移動通信端末を特定するための端末特定情報とを含む予約情報を予約受付手段が受信する予約受付ステップと、認証鍵発行手段が、当該受信した予約情報に基づいてコンテンツを取得するための認証鍵を発行する発行ステップと、認証鍵発行手段が、当該発行した認証鍵及びコンテンツ特定情報を予約情報格納手段に格納する格納ステップと、認証鍵送信手段が、当該発行した認証鍵を移動通信端末に送信する認証鍵送信ステップと、認証手段が、ユーザがコンテンツを取得しようとする情報通信端末から送信される認証鍵を受信し、予約情報格納手段に格納されている情報と照合する認証ステップと、を備える。
【００１２】
本発明のコンテンツ利用方法によれば、ユーザが使用する移動通信端末から送信される予約情報に基づいて認証鍵を発行し、その発行した認証鍵を移動通信端末に送信するので、移動通信端末の番号が流用されて必要な情報が盗用される可能性を低減できる。その発行した認証鍵を情報通信端末から受け取って照合を行うので、例えば、認証鍵を都度更新すれば以前使用した認証鍵のみが盗用されても認証される可能性が低減され、より安全性を高めることができる。
【００１３】
【発明の実施の形態】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１４】
本発明の実施形態であるコンテンツ利用システムについて説明する。図１は、本発明の実施形態であるコンテンツ利用システム１０の構成を示す図である。コンテンツ利用システム１０は、携帯電話機２０（移動通信端末）とネットワーク４０を介して情報通信可能なように構成されている。また、情報通信端末３０とはネットワーク５０を介して情報通信可能なように接続されている。
【００１５】
携帯電話機２０はユーザが使用する携帯電話機であり、音声通話と共に情報通信も可能なように構成されている。携帯電話機２０は、物理的には、ＣＰＵ（中央処理装置）、メモリといった記憶装置、プッシュボタンといった入力装置、ディスプレイといった表示装置、通信装置等を有している。情報通信端末３０はユーザが使用する情報通信端末であり、パーソナルコンピュータやＰＤＡといった情報機器である。情報通信端末３０では、音楽や画像といった種々のコンテンツが利用可能なように構成されている。
【００１６】
次に、コンテンツ利用システム１０について説明する。コンテンツ利用システム１０は、物理的には、ＣＰＵ（中央処理装置）、メモリ、キーボードといった入力装置、ディスプレイといった表示装置、ハードディスクといった格納装置、モデムといった通信装置などを備えたコンピュータシステム（若しくはコンピュータシステムの集合体）として構成されている。コンテンツ利用システム１０は機能的な構成要素として、コンテンツ情報提示部１０１（コンテンツ情報提示手段）と、予約受付部１０２（予約受付手段）と、認証鍵発行部１０３（認証鍵発行手段）と、認証鍵送信部１０４（認証鍵送信手段）と、認証部１０５（認証手段）と、コンテンツ選択部１０６（コンテンツ選択手段）と、コンテンツ送信部１０７（コンテンツ送信手段）と、課金部１０８（課金手段）と、コンテンツ情報格納部２０１と、予約情報格納部２０２（予約情報格納手段）と、課金情報格納部２０３と、を備えている。引き続いて、コンテンツ利用システム１０の各構成要素について詳細に説明する。
【００１７】
コンテンツ情報提示部１０１は、ユーザが使用する携帯電話機２０にコンテンツ概要とコンテンツＩＤ（コンテンツ特定情報）とを送信する部分である。より具体的には、コンテンツ情報提示部１０１はコンテンツ情報格納部２０１に格納されている情報に基づいてコンテンツ概要とコンテンツＩＤとを選択して送信する。コンテンツ情報格納部２０１に格納されている情報の例を図２に示す。図２に示す例に拠れば、コンテンツ情報格納部２０１には「コンテンツＩＤ」「コンテンツ概要」「コンテンツ内容」が関連付けられて格納されている。「コンテンツＩＤ」は、各コンテンツを特定するための情報であり、「コンテンツ概要」は、各コンテンツの概要を示す情報であり、「コンテンツ内容」は、各コンテンツの実態的な内容である。
【００１８】
予約受付部１０２は、ユーザが使用する携帯電話機２０から送信される、コンテンツを特定するコンテンツＩＤと携帯電話機２０を特定するための携帯電話機ＩＤ（端末特定情報）とを含む予約情報を受信して受け付ける部分である。予約受付部１０２は受け付けた予約情報を認証鍵発行部１０３に出力する。
【００１９】
認証鍵発行部１０３は、予約受付部１０２が受信した予約情報に基づいてコンテンツを取得するための認証鍵を発行する部分である。認証鍵発行部１０３はこの発行した認証鍵とコンテンツＩＤとを関連付けて予約情報格納部２０２に格納し、認証鍵は複製して認証鍵送信部１０４に出力する。予約情報格納部２０２に格納されている情報の例を図３に示す。図３に示す例に拠れば、予約情報格納部２０２には、「予約番号」「携帯電話機ＩＤ」「コンテンツＩＤ」「認証鍵」「予約日時」が関連付けられて格納されている。「予約番号」はユーザがコンテンツの予約をすると一意に与えられる番号であり、「携帯電話機ＩＤ」は各携帯電話機を特定するための情報であり、「コンテンツＩＤ」は各コンテンツを特定するための情報である。「認証鍵」は認証鍵発行部１０３が予約ごとに乱数を発生させて生成する情報であり、「予約日時」」は予約の受付をおこなった時刻である。
【００２０】
認証鍵送信部１０４は、認証鍵発行部１０３が発行した認証鍵を携帯電話機２０に送信する部分である。ユーザはこの送信された認証鍵を携帯電話機２０で受信する。ユーザは認証鍵を情報通信端末３０に入力し、情報通信端末３０を特定するための端末ＩＤと共にコンテンツ利用システム１０に返信する。
【００２１】
認証部１０５は、ユーザがコンテンツを取得しようとしている情報通信端末３０から送信される認証鍵を受信し、この受信した認証鍵を予約情報格納部２０２に格納されている情報と照合する部分である。認証部１０５は、受信した認証鍵と同じ認証鍵が予約情報格納部２０２に格納されていれば、ユーザが返信した情報が正当なものであると認証する。認証部１０５は、この認証の結果をコンテンツ選択部１０６に出力する。また、情報通信端末３０からは端末ＩＤも送信されるので、あわせてコンテンツ選択部１０６に出力する。
【００２２】
コンテンツ選択部１０６は、認証部１０５の照合の結果に応じて、コンテンツＩＤで特定されるコンテンツを選択する部分である。より具体的には、コンテンツ選択部１０６は、まず予約情報格納部２０２に格納されている情報を検索し、認証部１０５が出力する認証鍵に対応するコンテンツＩＤを特定する。次にコンテンツ選択部１０６は、コンテンツ情報格納部２０１に格納されている情報を検索し、特定したコンテンツＩＤに対応するコンテンツ内容を選択する。コンテンツ選択部１０６は、この選択したコンテンツ内容をコンテンツＩＤ及び端末ＩＤと共にコンテンツ送信部１０７に出力する。
【００２３】
コンテンツ送信部１０７は、コンテンツ選択部１０６が選択したコンテンツを情報通信端末３０に送信する部分である。コンテンツ送信部１０７は、コンテンツを送信すると、送信先である情報通信端末３０を特定する端末ＩＤ及びコンテンツＩＤを課金部１０８に出力する。
【００２４】
課金部１０８は、コンテンツ送信部１０７のコンテンツの送信に応じてユーザに対する課金を指示する課金情報を出力する部分である。より具体的には、課金部１０８は、コンテンツＩＤに基づいてコンテンツの料金を特定し、その特定した料金と共に端末ＩＤとコンテンツＩＤとを課金情報格納部２０３に出力して格納する。課金情報格納部２０３に格納されている情報の例を図４に示す。図４に示す例に拠れば、課金情報格納部２０３には「端末ＩＤ」「コンテンツＩＤ」「料金」「利用日時」が関連付けられて格納されている。このようにコンテンツの利用の度にその情報が課金情報格納部２０３に格納されるで、所定の集計時期に課金情報格納部２０３に格納されている情報を参照することでユーザに対する課金が可能となる。
【００２５】
引き続いて、コンテンツ利用システム１０の動作（コンテンツ利用方法）について説明する。図５は、コンテンツ利用システム１０の動作のシーケンスを示す図である。コンテンツ利用システム１０のコンテンツ情報提示部１０１が携帯電話機２０に、コンテンツ概要とコンテンツＩＤとを送信する（ステップＳ０１）。ユーザは携帯電話機２０に表示されるコンテンツ概要を参考にしてコンテンツＩＤを選択する（ステップＳ０２）。選択したコンテンツＩＤは携帯電話機ＩＤと共にコンテンツ利用システム１０の予約受付部１０２に送信される（ステップＳ０３）。予約受付部１０２は、受信したコンテンツＩＤ及び携帯電話機ＩＤを認証鍵発行部１０３に出力する（ステップＳ０４）。認証鍵発行部１０３は、予約受付部１０２が受信した予約情報に基づいてコンテンツを取得するための認証鍵を発行する。（ステップＳ０５）。この認証鍵は認証鍵送信部１０４に出力され、認証鍵送信部１０４は認証鍵を携帯電話機２０に送信する（ステップＳ０６）。
【００２６】
ユーザは携帯電話機２０で認証鍵を確認し、情報通信端末３０に入力する（ステップＳ０７）。情報通信端末３０からはコンテンツ送信要求として、認証鍵と端末ＩＤとがコンテンツ利用システム１０の認証部１０５に送信される（ステップＳ０８）。認証部１０５は、受信した認証鍵に基づいて予約の有無を確認する（ステップＳ０９）。コンテンツの予約が確認できれば、認証部１０５は認証鍵と端末ＩＤとをコンテンツ選択部１０６に出力する（ステップＳ１０）。コンテンツ選択部１０６は認証鍵に基づいてコンテンツＩＤを特定し、対応するコンテンツを選択する（ステップＳ１１）。コンテンツ選択部１０６は選択したコンテンツを端末ＩＤと共にコンテンツ送信部１０７に出力する（ステップＳ１２）。コンテンツ送信部１０７は端末ＩＤに対応する情報通信端末３０にコンテンツを送信する（ステップＳ１３）。課金部１０８はコンテンツの送信に応じて課金情報を出力して課金情報格納部２０３に格納する（ステップＳ１４）。
【００２７】
【発明の効果】
本発明によれば、ユーザが使用する移動通信端末から送信される予約情報に基づいて認証鍵を発行し、その発行した認証鍵を移動通信端末に送信するので、移動通信端末の番号が流用されて必要な情報が盗用される可能性を低減できる。その発行した認証鍵を情報通信端末から受け取って照合を行うので、例えば、認証鍵を都度更新すれば以前使用した認証鍵のみが盗用されても認証される可能性が低減され、より安全性を高めることができる。従って本発明の目的とする、悪意の第三者の介入を極力回避できるコンテンツ利用システム及びコンテンツ利用方法を提供することができた。
【図面の簡単な説明】
【図１】本発明の実施形態であるコンテンツ利用システムの構成を示す図である。
【図２】図１のコンテンツ情報格納部に格納されている情報の例を示す図である。
【図３】図１の予約情報格納部に格納されている情報の例を示す図である。
【図４】図１の課金情報格納部に格納されている情報の例を示す図である。
【図５】本発明の実施形態であるコンテンツ利用システムの処理のシーケンスを示す図である。
【符号の説明】
１０…コンテンツ利用システム、２０…携帯電話機、３０…情報通信端末、４０…ネットワーク、５０…ネットワーク、１０１…コンテンツ情報提示部、１０２…予約受付部、１０３…認証鍵発行部、１０４…認証鍵送信部、１０５…認証部、１０６…コンテンツ選択部、１０７…コンテンツ送信部、１０８…課金部、２０１…コンテンツ情報格納部、２０２…予約情報格納部、２０３…課金情報格納部。
【図１】
2004363787.tif 000003
【図２】
2004363787.tif 000004
【図３】
2004363787.tif 000005
【図４】
2004363787.tif 000006
【図５】
2004363787.tif 000007